(57)【要約】      （修正有）【課題】本発明は新型の洗浄装置を提供する。【解決手段】ハウジング１を含み、ハウジング１が合板を通じて上下に隔離し多くの洗浄装置が設置され、全部の洗浄装置がハウジング１の中に設置される収容筐体１０と収容筐体１０の右端壁に設置される管溝１５を含み、管溝１５の上端に安置溝１６が設置され、安置溝１６の上壁に係合台１７が固定的に設置され、収容筐体１０に収容箱２１が回転し取り付けられ、収容箱２１に水道管２２が取り付けられ、水道管２２の尾端に高圧スプレーガン２３が固定的に取り付けられ、高圧スプレーガン２３が係合台１７に係合し、管溝１５と安置溝１６の外側にロック部が設置される。【選択図】図２
2018197106.tif 000002
【特許請求の範囲】
【請求項１】
新型の洗浄装置であって、ハウジングを含み、前記ハウジングが合板を通じて上下に隔離し複数の洗浄装置が設置され、全部の洗浄装置が前記ハウジングの中に設置される収容筐体と前記収容筐体の右端壁に設置される管溝を含み、前記管溝の上端に安置溝が設置され、前記安置溝の上壁に係合台が固定的に設置され、前記収容筐体に収容箱が回転可能なように取り付けられ、前記収容箱に水道管が取り付けられ、前記水道管が前記管溝を通り抜けて外に移動し、前記水道管の尾端に高圧スプレーガンが固定的に取り付けられ、前記高圧スプレーガンが前記係合台に係合し、前記管溝と安置溝の外側にロック部が設置され、前記収容筐体の左端壁に上下に対等に滑り筐体が設置され、前記滑り筐体と前記収容筐体の間に連結し通合溝が設置され、二つの滑り筐体の間に突出アームが設置され、前記突出アームにインダクタンス装置が固定的に設置され、前記滑り筐体に上下に滑り台が非固定的に取り付けられ、前記滑り台が前記突出アームを背にする端面に右に前記通合溝を通り抜けて前記収容筐体に入る操縦アームが設置され、前記合板、操縦アーム、前記収容箱に上下に延長する溝穴が設置され、前記ハウジングの底部に動力装置が固定的に取り付けられ、前記動力装置に回転レバーが取り付けられ、前記回転レバーの上端が前記溝穴を通り抜けて前記ハウジングの頂部に回転可能なように取り付けられ、前記操縦アームが前記収容箱の間に前記回転レバーと上下に動き周りに固定される当接板が取り付けられ、前記当接板が前記収容箱に向かう端面に接続輪が固定的に設置され、前記ハウジングの底部の四つの角に同時に角ブロックが設置され、前記角ブロックの底部に回転輪が回転可能なように設置され、前記インダクタンス装置が前記突出アームに固定的に取り付けられる鉄柱と前記鉄柱に固定的に取り付けられるコイルを含み、前記滑り台と前記突出アームの間に弾性物が固定的に取り付けられて、前記弾性物が前記滑り台を前記突出アームを背にする方向に押して、前記滑り台が前記突出アームに向かう端面に第一鉄プラグが固定的に設置され前記操縦アームが前記当接板に向かう端面に磁気フィルムが取り付けられ、前記当接板が前記操縦アームに向かう端面に前記磁気フィルムと係合する第二鉄プラグが固定的に設置され、前記操縦アームが前記当接板に向かう端壁に回転溝が設置され、前記回転溝にローラーが取り付けられ、前記ローラーが前記当接板と当接し、前記ロック部が前記管溝と安置溝の外側に設置されるロックドアを含み、前記ロックドアが活動軸を通じて前記安置溝の前側内壁と回転可能なように接続し、前記ロックドアが前記活動軸を背にする外側端面にロック輪が設置されることを特徴とする新型の洗浄装置。
【発明の詳細な説明】
【技術分野】
【０００１】
本発明は洗浄除塵技術分野に関し、具体的には新型の洗浄装置に関する。
【背景技術】
【０００２】
自動車は現代生活の中の重要な乗り物で、自動車の表面を定期的に洗浄し集塵することは自動車保守の重要なことである。いくつかの洗車店で一つの洗浄装置にただ一つの洗浄銃が配備され、多くの自動車を洗浄する必要な時に、洗浄需要を満足できなく、同時に、現在の洗浄装置の洗浄水道管が長く、使用しない状態で勝手に地面で散っていて、占める空間が大きく、長い時間外に散ると自動車にひかれやすく、ひいて水道管の破損を引き起こし、耐用年数を縮めて、大きい弊害が存在し、改善する必要がある。
【先行技術文献】
【特許文献】
【０００３】
【特許文献１】中国特許出願公開第105290068号明細書
【発明の概要】
【発明が解決しようとする課題】
【０００４】
本発明の目的は新型の洗浄装置及びその使い方を提供し、上記の現在の技術問題を解決する。
【課題を解決するための手段】
【０００５】
本発明の新型の洗浄装置はハウジングを含み、前記ハウジングが合板を通じて上下に隔離し多くの洗浄装置が設置され、全部の洗浄装置が前記ハウジングの中に設置される収容筐体と前記収容筐体の右端壁に設置される管溝を含み、前記管溝の上端に安置溝が設置され、前記安置溝の上壁に係合台が固定的に設置され、前記収容筐体に収容箱が回転可能なように取り付けられ、前記収容箱に水道管が取り付けられ、前記水道管が前記管溝を通り抜けて外に移動し、前記水道管の尾端に高圧スプレーガンが固定的に取り付けられ、前記高圧スプレーガンが前記係合台に係合し、前記管溝と安置溝の外側にロック部が設置され、前記収容筐体の左端壁に上下に対等に滑り筐体が設置され、前記滑り筐体と前記収容筐体の間に連結し通合溝が設置され、二つの滑り筐体の間に突出アームが設置され、前記突出アームにインダクタンス装置が固定的に設置され、前記滑り筐体に上下に滑り台が非固定的に取り付けられ、前記滑り台が前記突出アームを背にする端面に右に前記通合溝を通り抜けて前記収容筐体に入る操縦アームが設置され、前記合板、操縦アームと前記収容箱に上下に延長する溝穴が設置され、前記ハウジングの底部に動力装置が固定的に取り付けられ、前記動力装置に回転レバーが取り付けられ、前記回転レバーの上端が前記溝穴を通り抜けて前記ハウジングの頂部に回転可能なように取り付けられ、前記操縦アームが前記収容箱の間に前記回転レバーと上下に動き周りに固定される当接板が取り付けられ、前記当接板が前記収容箱に向かう端面に接続輪が固定的に設置され、前記ハウジングの底部の四つの角に同時に角ブロックが設置され、前記角ブロックの底部に回転輪が回転可能なように設置される。
【０００６】
好ましい技術方案として前記インダクタンス装置が前記突出アームに固定的に取り付けられる鉄柱と前記鉄柱に固定的に取り付けられるコイルを含み、前記滑り台と前記突出アームの間に弾性物が固定的に取り付けられて、前記弾性物が前記滑り台を前記突出アームを背にする方向に押して、前記滑り台が前記突出アームに向かう端面に第一鉄プラグが固定的に設置される。
【０００７】
好ましい技術方案として前記操縦アームが前記当接板に向かう端面に磁気フィルムが取り付けられ、前記当接板が前記操縦アームに向かう端面に前記磁気フィルムと係合する第二鉄プラグが固定的に設置される。
【０００８】
好ましい技術方案として前記操縦アームが前記当接板に向かう端壁に回転溝が設置され、前記回転溝にローラーが取り付けられ、前記ローラーが前記当接板と当接する。
【０００９】
好ましい技術方案として前記ロック部が前記管溝と安置溝の外側に設置されるロックドアを含み、前記ロックドアが活動軸を通じて前記安置溝の前側内壁と回転可能なように接続し、前記ロックドアが前記活動軸を背にする外側端面にロック輪が設置される。
【００１０】
本発明の有益な効果は下記の通りである。1.本発明の装置は初期状態であるとき、コイルが通電されなく、滑り台が弾性物の作用のもとで突出アームを背にして押されて、操縦アームが滑り台と固定的に接続し、滑り台が操縦アームと連動して収容箱を背にして、第二鉄プラグが磁気フィルムに吸着され、操縦アームが当接板と連動してローラーと当接し、接続輪が収容箱を背にして、ある洗浄装置を選択しない時、動力装置が収容箱と連動して墨打ちできない。
【００１１】
2. 洗浄する時に、ある洗浄装置を選択し、相応するコイルを通電し、コイルが通電された後、鉄柱が磁気を発生し鉄プラグを鉄柱に向かう方向に吸着し、これにより滑り台と連動して突出アームに向かって滑って、当接板が回転レバーの軸方向が非固定で、だから滑り台が操縦アーム、当接板と接続輪と連動して収容箱に向かって滑って、接続輪が収容箱を締め付けた後、高圧スプレーガンをはずして動力装置を起動し、動力装置が回転レバーと連動して回転し、当接板と回転レバーの周りが固定されるため、回転レバーが当接板、接続輪と収容箱と連動して回転し水道管を墨打ち、水道管が適合する長さに調整された後、動力装置を停止し、同時にコイルに対する通電を停止し、この時に、高圧スプレーガンを使って自動車を洗浄し、滑り台が弾性物の作用のもとで突出アームの方向に押されて、滑り台が操縦アーム、当接板と接続輪と連動して収容箱を背にする方向に滑る。
【００１２】
3. 洗浄が終わった後、コイルを通電し、コイルが通電された後、鉄柱が磁気を発生し鉄プラグを鉄柱に向かう方向に吸着し、操縦アーム、当接板と接続輪と連動して収容箱に向かって滑って、接続輪が収容箱を締め付けた後、動力装置を起動し、動力装置が回転レバーと連動して逆に回転し、回転レバーが当接板、接続輪と収容箱と連動して逆に回転し水道管を墨収し、水道管が回収された後、動力装置を停止し、同時にコイルに対する通電を停止し、この時に、高圧スプレーガンを係合台に掛けて、滑り台が弾性物の作用のもとで突出アームの方向に押されて、滑り台が操縦アーム、当接板と接続輪と連動して収容箱を背にする方向に滑る。
【００１３】
4. 本発明装置はある洗浄装置を選択した後、墨収しと墨打ち過程にその他の洗浄装置を妨害しなく、水道管の長さが使用する需要によって調整でき、だから多くの自動車を洗浄でき、使用が終わった後に水道管をハウジングに回収し、敷地面積を減らし、車が水道管を損傷することを防ぎ、耐用年数を大きく高める。
【発明の効果】
【００１４】
本発明の有益な効果は下記の通りである。1.本発明の装置は初期状態であるとき、コイルが通電されなく、滑り台が弾性物の作用のもとで突出アームを背にして押されて、操縦アームが滑り台と固定的に接続し、滑り台が操縦アームと連動して収容箱を背にして、第二鉄プラグが磁気フィルムに吸着され、操縦アームが当接板と連動してローラーと当接し、接続輪が収容箱を背にして、ある洗浄装置を選択しない時、動力装置が収容箱と連動して墨打ちできない。
【００１５】
2. 洗浄する時に、ある洗浄装置を選択し、相応するコイルを通電し、コイルが通電された後、鉄柱が磁気を発生し鉄プラグを鉄柱に向かう方向に吸着し、これにより滑り台と連動して突出アームに向かって滑って、当接板が回転レバーの軸方向が非固定で、だから滑り台が操縦アーム、当接板と接続輪と連動して収容箱に向かって滑って、接続輪が収容箱を締め付けた後、高圧スプレーガンをはずして動力装置を起動し、動力装置が回転レバーと連動して回転し、当接板と回転レバーの周りが固定されるため、回転レバーが当接板、接続輪と収容箱と連動して回転し水道管を墨打ち、水道管が適合する長さに調整された後、動力装置を停止し、同時にコイルに対する通電を停止し、この時に、高圧スプレーガンを使って自動車を洗浄し、滑り台が弾性物の作用のもとで突出アームの方向に押されて、滑り台が操縦アーム、当接板と接続輪と連動して収容箱を背にする方向に滑る。
【００１６】
3. 洗浄が終わった後、コイルを通電し、コイルが通電された後、鉄柱が磁気を発生し鉄プラグを鉄柱に向かう方向に吸着し、操縦アーム、当接板と接続輪と連動して収容箱に向かって滑って、接続輪が収容箱を締め付けた後、動力装置を起動し、動力装置が回転レバーと連動して逆に回転し、回転レバーが当接板、接続輪と収容箱と連動して逆に回転し水道管を墨収し、水道管が回収された後、動力装置を停止し、同時にコイルに対する通電を停止し、この時に、高圧スプレーガンを係合台に掛けて、滑り台が弾性物の作用のもとで突出アームの方向に押されて、滑り台が操縦アーム、当接板と接続輪と連動して収容箱を背にする方向に滑る。
【００１７】
4. 本発明装置はある洗浄装置を選択した後、墨収しと墨打ち過程にその他の洗浄装置を妨害しなく、水道管の長さが使用する需要によって調整でき、だから多くの自動車を洗浄でき、使用が終わった後に水道管をハウジングに回収し、敷地面積を減らし、車が水道管を損傷することを防ぎ、耐用年数を大きく高める。
【図面の簡単な説明】
【００１８】
本発明の実施例または既存の技術の中の技術方案をもっとはっきり説明するため、下記に実施例または既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の新型の洗浄装置の全体構造概略図である。
【図２】図２は図１の中の洗浄装置の拡大構造概略図である。
【図３】図３は図２の接続輪が収容箱を締め付ける時の構造概略図である。
【図４】図４は本発明のハウジングの底面図である。
【図５】図５は本発明のロック部の設置位置概略図である。
【発明を実施するための形態】
【００２０】
本発明書に開示した全ての特徴、或いは開示した全ての方法、過程中のステップは、互いに排斥する特徴或いはステップ以外に、いかなる方式で組み合わせることができる。
【００２１】
本発明書に開示した全ての特徴は、特別な記述がない限り、そのほかの同等或いは類似する目的を持つ代替特徴に取り替えられる。つまり特別な記述がない限り、全ての特徴はただ一連の同等或いは類似する特徴の中の一つの例だけである。
【００２２】
図1〜5が示すように、本発明に係る新型の洗浄装置は、ハウジング１を含み、前記ハウジング１が合板100を通じて上下に隔離し多くの洗浄装置が設置され、全部の洗浄装置が前記ハウジング１の中に設置される収容筐体10と前記収容筐体10の右端壁に設置される管溝15を含み、前記管溝15の上端に安置溝16が設置され、前記安置溝16の上壁に係合台17が固定的に設置され、前記収容筐体10に収容箱21が回転可能なように取り付けられ、前記収容箱21に水道管22が取り付けられ、前記水道管22が前記管溝15を通り抜けて外に移動し、前記水道管22の尾端に高圧スプレーガン23が固定的に取り付けられ、前記高圧スプレーガン23が前記係合台17に係合し、前記管溝15と安置溝16の外側にロック部が設置され、前記収容筐体10の左端壁に上下に対等に滑り筐体11が設置され、前記滑り筐体11と前記収容筐体10の間に連結し通合溝12が設置され、二つの滑り筐体11の間に突出アーム14が設置され、前記突出アーム14にインダクタンス装置が固定的に設置され、前記滑り筐体11に上下に滑り台34が非固定的に取り付けられ、前記滑り台34が前記突出アーム14を背にする端面に右に前記通合溝12を通り抜けて前記収容筐体10に入る操縦アーム35が設置され、前記合板100、操縦アーム35と前記収容箱21に上下に延長する溝穴13が設置され、前記ハウジング１の底部に動力装置18が固定的に取り付けられ、前記動力装置18に回転レバー19が取り付けられ、前記回転レバー19の上端が前記溝穴13を通り抜けて前記ハウジング１の頂部に回転可能なように取り付けられ、前記操縦アーム35が前記収容箱21の間に前記回転レバー19と上下に動き周りに固定される当接板41が取り付けられ、前記当接板41が前記収容箱21に向かう端面に接続輪42が固定的に設置され、前記ハウジング１の底部の四つの角に同時に角ブロック5が設置され、前記角ブロック5の底部に回転輪51が回転可能なように設置され、前記回転輪51を使って前記ハウジング１を移動また運搬する時に手間を省いて、移動性能を高める。
【００２３】
好ましくは前記インダクタンス装置が前記突出アーム14に固定的に取り付けられる鉄柱31と前記鉄柱31に固定的に取り付けられるコイル32を含み、前記滑り台34と前記突出アーム14の間に弾性物38が固定的に取り付けられて、前記弾性物38が前記滑り台34を前記突出アーム14を背にする方向に押して、前記滑り台34が前記突出アーム14に向かう端面に第一鉄プラグ33が固定的に設置される。
【００２４】
好ましくは前記操縦アーム35が前記当接板41に向かう端面に磁気フィルム37が取り付けられ、前記当接板41が前記操縦アーム35に向かう端面に前記磁気フィルム37と係合する第二鉄プラグ43が固定的に設置される。
【００２５】
好ましくは前記操縦アーム35が前記当接板41に向かう端壁に回転溝が設置され、前記回転溝にローラー36が取り付けられ、前記ローラー36が前記当接板41と当接する。
【００２６】
好ましくは、前記ロック部が前記管溝15と安置溝16の外側に設置されるロックドア61を含み、前記ロックドア61が活動軸62を通じて前記安置溝16の前側内壁と回転可能なように接続し、前記ロックドア61が前記活動軸62を背にする外側端面にロック輪63が設置され、前記ロックドア61の開閉を通じて有効的にほこりが落ちることを防ぎ、清潔性を高めて、前記ロック輪63を通じて前記ロックドア61が閉じる状態で前記ロックドア61をロックし、許されない情況で前記高圧スプレーガン23を使って洗浄することを防ぐ。
【００２７】
初期状態では、前記コイル32が通電されなく、前記滑り台34が前記弾性物38の作用のもとで前記突出アーム14を背にして押されて、前記操縦アーム35が前記滑り台34と固定的に接続し、前記滑り台34が前記操縦アーム35と連動して前記収容箱21を背にして、前記第二鉄プラグ43が前記磁気フィルム37に吸着され、前記操縦アーム35が前記当接板41と連動して前記ローラー36と当接し、前記接続輪42が前記収容箱21を背にして、前記水道管22が前記収容箱21で巻き付ける。
【００２８】
洗浄する時に、ある洗浄装置を選択し、相応するコイル32を通電し、前記コイル32が通電された後、前記鉄柱31が磁気を発生し前記鉄プラグ33を前記鉄柱31に向かう方向に吸着し、これにより前記滑り台34と連動して前記突出アーム14に向かって滑って、前記当接板41が前記回転レバー19の軸方向が非固定で、だから前記滑り台34が前記操縦アーム35、当接板41と前記接続輪42と連動して前記収容箱21に向かって滑って、前記接続輪42が前記収容箱21を締め付けた後、前記高圧スプレーガン23をはずして前記動力装置18を起動し、前記動力装置18が前記回転レバー19と連動して回転し、前記当接板41と前記回転レバー19の周りが固定されるため、前記回転レバー19が前記当接板41、接続輪42と前記収容箱21と連動して回転し前記水道管22を墨打ち、前記水道管22が適合する長さに調整された後、前記動力装置18を停止し、同時に前記コイル32に対する通電を停止し、この時に、前記高圧スプレーガン23を使って自動車を洗浄し、前記滑り台34が前記弾性物38の作用のもとで前記突出アーム14の方向に押されて、前記滑り台34が前記操縦アーム35、当接板41と前記接続輪42と連動して前記収容箱21を背にする方向に滑る。
【００２９】
洗浄が終わった後、前記コイル32を通電し、前記コイル32が通電された後、前記鉄柱31が磁気を発生し前記鉄プラグ33を前記鉄柱31に向かう方向に吸着し、前記操縦アーム35、当接板41と前記接続輪42と連動して前記収容箱21に向かって滑って、前記接続輪42が前記収容箱21を締め付けた後、前記動力装置18を起動し、前記動力装置18が前記回転レバー19と連動して逆に回転し、前記回転レバー19が前記当接板41、接続輪42と前記収容箱21と連動して逆に回転し前記水道管22を墨収し、前記水道管22が回収された後、前記動力装置18を停止し、同時に前記コイル32に対する通電を停止し、この時に、前記高圧スプレーガン23を前記係合台17に掛けて、前記滑り台34が前記弾性物38の作用のもとで前記突出アーム14の方向に押されて、前記滑り台34が前記操縦アーム35、当接板41と前記接続輪42と連動して前記収容箱21を背にする方向に滑る。
【００３０】
本発明の有益な効果は下記の通りである。1.本発明の装置は初期状態であるとき、コイルが通電されなく、滑り台が弾性物の作用のもとで突出アームを背にして押されて、操縦アームが滑り台と固定的に接続し、滑り台が操縦アームと連動して収容箱を背にして、第二鉄プラグが磁気フィルムに吸着され、操縦アームが当接板と連動してローラーと当接し、接続輪が収容箱を背にして、ある洗浄装置を選択しない時、動力装置が収容箱と連動して墨打ちできない。
【００３１】
2. 洗浄する時に、ある洗浄装置を選択し、相応するコイルを通電し、コイルが通電された後、鉄柱が磁気を発生し鉄プラグを鉄柱に向かう方向に吸着し、これにより滑り台と連動して突出アームに向かって滑って、当接板が回転レバーの軸方向が非固定で、だから滑り台が操縦アーム、当接板と接続輪と連動して収容箱に向かって滑って、接続輪が収容箱を締め付けた後、高圧スプレーガンをはずして動力装置を起動し、動力装置が回転レバーと連動して回転し、当接板と回転レバーの周りが固定されるため、回転レバーが当接板、接続輪と収容箱と連動して回転し水道管を墨打ち、水道管が適合する長さに調整された後、動力装置を停止し、同時にコイルに対する通電を停止し、この時に、高圧スプレーガンを使って自動車を洗浄し、滑り台が弾性物の作用のもとで突出アームの方向に押されて、滑り台が操縦アーム、当接板と接続輪と連動して収容箱を背にする方向に滑る。
【００３２】
3. 洗浄が終わった後、コイルを通電し、コイルが通電された後、鉄柱が磁気を発生し鉄プラグを鉄柱に向かう方向に吸着し、操縦アーム、当接板と接続輪と連動して収容箱に向かって滑って、接続輪が収容箱を締め付けた後、動力装置を起動し、動力装置が回転レバーと連動して逆に回転し、回転レバーが当接板、接続輪と収容箱と連動して逆に回転し水道管を墨収し、水道管が回収された後、動力装置を停止し、同時にコイルに対する通電を停止し、この時に、高圧スプレーガンを係合台に掛けて、滑り台が弾性物の作用のもとで突出アームの方向に押されて、滑り台が操縦アーム、当接板と接続輪と連動して収容箱を背にする方向に滑る。
【００３３】
4. 本発明装置はある洗浄装置を選択した後、墨収しと墨打ち過程にその他の洗浄装置を妨害しなく、水道管の長さが使用する需要によって調整でき、だから多くの自動車を洗浄でき、使用が終わった後に水道管をハウジングに回収し、敷地面積を減らし、車が水道管を損傷することを防ぎ、耐用年数を大きく高める。
【００３４】
以上に述べたのはただ本発明の具体的な実施方式で、しかし本発明の保護範囲はこれに限らない。全部の創造的な労働を通じなく思いついた変化と取替は本発明の保護範囲にカバーされる。だから本発明の保護範囲は特許請求の範囲が限定される保護範囲を基準とする。
【図１】
2018197106.tif 000003
【図２】
2018197106.tif 000004
【図３】
2018197106.tif 000005
【図４】
2018197106.tif 000006
【図５】
2018197106.tif 000007